(57)【要約】【課題】支持架台の一構成ユニットの軽量化、強度向上、耐久性と施工性の向上を図る。【解決手段】少なくとも一対の縦桟11又は横桟10と、これらを支持する複数の支持枠体と、これらの支持枠体の下端部を支持し固定する支持固定部14とを備え、これらの支持固定部14のそれぞれが、設置面に打ち込まれた杭部材15の上端部に固定される太陽電池モジュールの支持架台である。一対の横桟10が角型鋼管からなり、杭部材15は前後方向に一対列設され、それぞれの杭部材15の上端部に固定されたそれぞれの支持固定部14には２本の支持枠体12,13が正面視Ｖ字形状に配設されて前記横桟10を下方から支持する。これにより横方向に前後に配設された２本の前記横桟10の上面に複数の縦桟11を架け渡し、その上に太陽電池モジュールSを縦横に配列固定することができる。【選択図】図１
2019149885.tif 000002
【特許請求の範囲】
【請求項１】
太陽電池モジュールを設置する金属製の支持架台であって、かかる支持架台は太陽電池モジュールを載置し固定する少なくとも一対の縦桟又は横桟と、これらの縦桟又は横桟を支持する複数の支持枠体と、これらの支持枠体の下端部を支持し固定する支持固定部とを備え、これらの支持固定部のそれぞれが、設置面に打ち込まれた杭部材の上端部に固定された太陽電池モジュールの支持架台において、
前記一対の横桟が管体からなり、前記杭部材は前後方向に一対列設され、それぞれの杭部材の上端部に固定されたそれぞれの支持固定部には２本の支持枠体が正面視Ｖ字形状に配設されて前記横桟を下方から支持することができ、
これにより横方向に前後２列に配設された２本の前記横桟の上面に複数の縦桟を架け渡し、その上に太陽電池モジュールを縦横に配列固定することができることを特徴とする太陽電池モジュールの支持架台。
【請求項２】
前記支持枠体も管体からなり、
前記２本の杭部材の内の前方の杭部材の上端部から後方の支持枠体の上端部に架けて平面視Ｖ字形状に補強枠体を更に２本掛け渡したことを特徴とする請求項１に記載の太陽電池モジュールの支持架台。
【請求項３】
前記杭部材の上端部に杭頭部材を設け、この杭頭部材の上面部の左右両端部分には前後方向に長孔からなる２つの螺子挿通孔を略平行に列設し、
この杭頭部材に固定される前記支持固定部の底面部には左右横方向に長孔からなる２つの螺子挿通孔を列設し、
前記杭頭部材に設けた螺子挿通孔と前記支持固定部に設けた螺子挿通孔を合致させて螺着することにより、両者の支持固定位置が前後方向及び左右横方向に調整可能となることを特徴とする請求項１又は２に記載の太陽電池モジュールの支持架台。
【請求項４】
請求項１乃至３の何れか１項に記載の太陽電池モジュールの支持架台を一単位として左右横方向に連続して設置し、前記横桟として長尺状のものを利用することにより多数の太陽電池モジュールを設置固定できることを特徴とする太陽電池モジュールの支持架台。
【請求項５】
前記杭部材が管体から成り、
前記杭頭部材は横断面略コ字形状を有し、当該杭頭部材の開口部を下方に配置し、その両端部を左右横方向に配置し、前記上面部の前後両側から下方に垂下する両垂下部は、前後方向に配設される螺子等の固定部材によって杭部材に固定されることを特徴とする請求項１乃至４の何れか１項に記載の太陽電池モジュールの支持架台。
【請求項６】
前記正面視Ｖ字形状に配設された支持枠体の長手方向長さを適宜長く設定し、設置された太陽電池モジュールの下に作業者が入れることを特徴とする請求項１乃至５の何れか１項に記載の太陽電池モジュールの支持架台。
【請求項７】
前記横桟を螺子等の固定手段によって支持する支持枠体の上端部において、横断面略コ字形状又は横断面略Ｕ字形状の補強金具を介在させて固定することを特徴とする請求項１乃至６の何れか１項に記載の太陽電池モジュールの支持架台。
【請求項８】
前記杭部材の上端部開口部及び横桟の端部開口部に当該開口部を封鎖する保護キャップ部材を設けたことを特徴とする請求項１乃至７の何れか１項に記載の太陽電池モジュールの支持架台。
【請求項９】
前記正面視Ｖ字形状に配設した支持枠体として、横断面コ字形状の型材を使用し、その開口部を上向きに配設することにより横桟を前記支持枠体の両側面部の間に配設することができることを特徴とする請求項１に記載の太陽電池モジュールの支持架台。
【発明の詳細な説明】
【技術分野】
【０００１】
本発明は、複数の太陽電池モジュール（太陽電池パネル又はソーラーパネル）をその上に支持固定し、設置するための架台の改良に関するものである。
【背景技術】
【０００２】
従来からメガソーラー等大小を問わず地上に設置されるタイプの太陽電池モジュールを構築する各種の支持架台が提案されている。
これらの先行技術として本願出願人が先に提案した下記特許文献に記載のものを挙げることができる。
【０００３】
下記特許文献１に記載の発明は、太陽電池モジュールの支持架台設置に際し、従来コンクリート製土台等を設置面に設け、その上に支持架台を設置していたのであるが、この土台設置等の基礎工事を不要とすることをその課題としていた。
【０００４】
その構成は、太陽電池モジュールの支持架台であって、この架台は太陽電池モジュールを載置し固定する少なくとも一対の縦桟又は横桟と、これら縦桟又は横桟を支持する複数の支持枠体と、これらの支持枠体の下端部を支持し固定する複数の支持固定部とを備え、これらの支持固定部のそれぞれが設置面に打ち込まれた杭部材の上端部で支持される構成を採用したものである。
【０００５】
この杭部材の上端部には杭頭部材が設けられ、この杭頭部材の上面部から上方に延長する螺子棒によって前記支持固定部が螺着され固定される。
杭部材は管体から成り、その下端先端には掘削刃を有する。
勿論、この掘削刃は必須のものではなく、これを設けずに設計することもできる。
杭頭部材は有底筒体状のものからなり、その有底部を上方に配して前記杭部材の上端部に連結固定できる構成であった。
【先行技術文献】
【特許文献】
【０００６】
【特許文献１】特開２０１５−６８０２８号公報
【発明の概要】
【発明が解決しようとする課題】
【０００７】
本発明においても、杭部材を利用した構成は同様のものであり、即ち、これにより設置面又は施工地の基礎工事を不要とし、設置面の状態に関わらず容易に架台を立設することができ、また、架台を除去する際にも、簡単に原状に復帰させることも容易となる支持架台の改良をその課題とする。
【０００８】
この改良は、縦桟、横桟及び補強枠体等の構成枠体の軽量化と強度向上、そして耐久性の向上を目的として、その改良を意図するものであり、更には杭部材の上端部の支持固定位置の調整構造に関しても改良を加え、支持架台の一単位ユニットの簡素化と製造コスト安をも実現することをその課題とするものである。
【０００９】
この課題を解決することにより、杭部材の支持間隔のスパン拡大をも図ることが出来、架台全体の重量を低減化することができ、材料費や運搬費の削減、施工時の作業性の向上に繋がることとなるのである。
更にその他のこの種の架台に対する一般的な要求課題である構成要素の耐水性、耐腐食性の向上をも図ることをその課題とする。
【課題を解決するための手段】
【００１０】
上記課題を解決するために、本発明の第１のものは、太陽電池モジュールを設置する金属製の支持架台であって、かかる支持架台は太陽電池モジュールを載置し固定する少なくとも一対の縦桟又は横桟と、これらの縦桟又は横桟を支持する複数の支持枠体と、これらの支持枠体の下端部を支持し固定する支持固定部とを備え、これらの支持固定部のそれぞれが、設置面に打ち込まれた杭部材の上端部に固定された太陽電池モジュールの支持架台において、
前記一対の横桟が管体からなり、前記杭部材は前後方向に一対列設され、それぞれの杭部材の上端部に固定されたそれぞれの支持固定部には２本の支持枠体が正面視Ｖ字形状に配設されて前記横桟を下方から支持することができ、
これにより横方向に前後２列に配設された２本の前記横桟の上面に複数の縦桟を架け渡し、その上に太陽電池モジュールを縦横に配列固定することができることを特徴とする太陽電池モジュールの支持架台である。
【００１１】
尚ここで、縦桟というのは、太陽光に直面するように適宜傾斜角度をもって太陽電池モジュールが設置された際に、この傾斜面の傾斜方向に沿う方向に配される桟を意味するものであり、横桟とういうのは、前記縦桟と略直交する方向に配設される桟を意味する。
また、前後方向というのは、正面から見た前後の方向を示し、これに直交する左右方向が横方向を意味する
更に、これら縦桟又は横桟に載置固定される太陽電池モジュールは、平面的に配設されるものであってもよい。
【００１２】
本発明の第２のものは、上記第１の発明において、前記支持枠体も管体からなり、
前記２本の杭部材の内の前方の杭部材の上端部から後方の支持枠体の上端部に架けて平面視Ｖ字形状に補強枠体を更に２本掛け渡したことを特徴とする太陽電池モジュールの支持架台である。
【００１３】
本発明の第３のものは、上記第１又は第２の発明において、前記杭部材の上端部に杭頭部材を設け、この杭頭部材の上面部の左右両端部分には前後方向に長孔からなる２つの螺子挿通孔を略平行に列設し、
この杭頭部材に固定される前記支持固定部の底面部には左右横方向に長孔からなる２つの螺子挿通孔を列設し、
前記杭頭部材に設けた螺子挿通孔と前記支持固定部に設けた螺子挿通孔を合致させて螺着することにより、両者の支持固定位置が前後方向及び左右横方向に調整可能となることを特徴とする太陽電池モジュールの支持架台である。
【００１４】
本発明の第４のものは、上記何れかの発明において記載された太陽電池モジュールの支持架台を一単位として左右横方向に連続して設置し、前記横桟として長尺状のものを利用することにより多数の太陽電池モジュールを設置固定できることを特徴とする太陽電池モジュールの支持架台である。
【００１５】
本発明の第５のものは、上記第１乃至第４の何れかの発明において、前記杭部材が管体から成り、
前記杭頭部材は横断面略コ字形状を有し、当該杭頭部材の開口部を下方に配置し、その両端部を左右横方向に配置し、前記上面部の両側から下方に垂下する両垂下部は、前後方向に配設される螺子等の固定部材によって杭部材に固定されることを特徴とする太陽電池モジュールの支持架台である。
【００１６】
本発明の第６のものは、上記第１乃至第５の何れかの発明において、前記正面視Ｖ字形状に配設された支持枠体の長手方向長さを適宜長く設定し、設置された太陽電池モジュールの下に作業者が入れることを特徴とする太陽電池モジュールの支持架台である。
【００１７】
本発明の第７のものは、上記第１乃至第６の何れかの発明において、前記横桟を螺子等の固定手段によって支持する支持枠体の上端部において、横断面略コ字形状又は横断面略Ｕ字形状の補強金具を介在させて固定することを特徴とする太陽電池モジュールの支持架台である。
【００１８】
本発明の第８のものは、上記第１乃至第７の何れかの発明において、前記杭部材の上端部開口部及び横桟の端部開口部に当該開口部を封鎖する保護キャップ部材を設けたことを特徴とする太陽電池モジュールの支持架台である。
【００１９】
本発明の第９のものは、上記第１の発明において、前記正面視Ｖ字形状に配設した支持枠体として、横断面コ字形状の型材を使用し、その開口部を上向きに配設することにより横桟を前記支持枠体の両側面部の間に配設することができることを特徴とする太陽電池モジュールの支持架台である。
【発明の効果】
【００２０】
本発明の第１のものにおいては、支持架台を支持するコンクリート製土台を使用しておらず、杭部材を使用しているために、設置面にコンクリート製土台を設ける必要がなく、設置面の基礎工事が不要となる。
本願発明においては、従来のものと異なり、その最小単位の支持架台において、設置面に前後方向に少なくとも２本の杭部材を設置面に打ち込むことのみにより支持架台を設置することが可能となる。
【００２１】
本発明においては、横桟として金属製の管体からなる軽量鉄材を利用して軽量化と強度向上を図り、これにより単位支持架台が上記の通り２本の杭部材で支持することができ、その結果、杭部材の左右横方向における支持間隔を広くすることができることとなる。
それ故、架台全体の重量が低減化され、材料費や運搬費の削減、及び施工時の作業性の向上にも寄与することとなる。
【００２２】
上記横方向支持間隔のスパン拡大は、杭部材の上端部から上方に延長する支持枠体を正面視Ｖ字形状に配設したことの結果でもあり、前後に列設された一対の杭部材から上方に延長する支持枠体のＶ字形状の角度を適宜設定することにより、上記支持間隔のスパン拡大を実現できることとなるのである。
【００２３】
更にまた、杭部材を適宜設置面に打ち込んで架台を支持するために、杭部材の設置面からの地上高さ（地上長さ）を適宜設定することもできる。
或いは、設置面の状態に応じて、縦桟等の傾斜面も必ずしも南向きでなく、それ以外の向きに設置することもできる。
【００２４】
更には、設置面が平地でない傾斜地又は荒地であっても適宜所望の傾斜角度で、更には平らに平面状に設置することもできるのである。
これにより、その設置面に応じて最適な発電効率を発揮できる状態で各種の傾斜状態、平面状態又は所望の向きに容易に変更して設置することができることとなる。
【００２５】
本発明の第２のものにおいては、前記支持枠体の限定と補強枠体の付加を特定するものである。
即ち、前記支持枠体をも金属製管体から形成し、前記２本の杭部材の内の前方の杭部材の上端部から後方の支持枠体の上端部に架けてＶ字形状に補強枠体を更に２本掛け渡したことを特徴とする。
【００２６】
これにより、支持枠体の強度の向上、補強枠体による支持架台の骨組みの強度向上により貢献することとなる。
本発明においては、杭部材と横桟との間の支持枠体及び前方の杭部材の上端と後方の支持枠体の上端とを連結する補強枠体とがそれぞれＶ字形状に配設される。
これ即ち、それぞれの構造が三角形を成すように構成され、最も強度の高い構造を保持して構築されることとなるのである。
【００２７】
本発明の第３のものは、前記杭部材の上端部に杭頭部材を設け、この杭頭部材の上面部の左右両端部分には前後方向に長孔からなる２つの螺子挿通孔を略平行に列設し、この杭頭部材に固定される前記支持固定部の底面部には左右横方向に長孔からなる２つの螺子挿通孔を列設し、前記杭頭部材に設けた螺子挿通孔と前記支持固定部に設けた螺子挿通孔を合致させて螺着することにより、両者の支持固定位置が前後方向及び左右横方向に調整することが出来ることとなるのである。
これにより施工時の作業性の向上に繋がるのである。
【００２８】
本発明の第４のものは、上記各発明に係る支持架台が一単位の架台であり、これを左右に連続させることにより多数の太陽電池モジュールを設置固定できることを明確にしたものであり、その際には、横桟としては適宜長尺状のものを使用し、連結することにより大型の支持架台を構成することができる。
【００２９】
本発明の第５のものにおいては、前記杭部材と前記杭頭部材の形態をより限定したものである。
即ち、前記杭部材が管体から成り、前記杭頭部材は横断面略コ字形状を有し、当該杭頭部材の開口部を下方に配置し、その両端部を左右横方向に配置し、前記上面部の前後両側から下方に垂下する両垂下部は、前後方向に配設される螺子等の固定部材によって杭部材に固定されるものである。
【００３０】
この構成を採用することにより、前記杭頭部材は、その螺子等の固定部材を軸芯として回動させることができ、接地面の状態によりこの杭頭部材を適宜傾斜状態に固定することも可能となるのである。
設置面によっては、南向きばかりとは限らず、東向き又は西向き斜面等も存在し、このような傾斜面に適切に支持架台を設置する際に、上記杭頭部材を適宜傾斜させて固定することも可能となるのである。
【００３１】
本発明の第６のものにおいては、前記正面視Ｖ字形状に配設された支持枠体の長手方向長さを適宜長く設定し、設置された太陽電池モジュールの下に作業者が容易に入ることができるように構成したものである。
【００３２】
本発明の第７のものにおいては、前記横桟を螺子等の固定手段によって支持する支持枠体の上端部において、横断面略コ字形状又は横断面略Ｕ字形状の補強金具を介在させて固定するようにしたものであって、軽量化のために前記横桟として肉薄のものを使用した際にも、上記補強金具によって横桟が変形することがなくなるのである。
【００３３】
本発明の第８ものにおいては、杭部材の上端部開口部及び横桟の端部開口部に当該開口部を封鎖する保護キャップ部材を設けることにより、小動物（鳥、蜂、蜘蛛等）や雨水を防止することができ、架台の長寿命化を図ることができることとなる。
【００３４】
本発明の第９のものにおいては、正面視Ｖ字形状に配設された支持枠体として、横断面コ字形状の型材を使用し、その開口部を上向きに配設することにより横桟を前記支持枠体の両側面部の間に配設することができ、これにより組み付けが容易となり、前記開口部内に横桟を組み込むこともでき、輸送の際の効率を向上でき、また雨水等の滞水しない構成とすることができた。
【図面の簡単な説明】
【００３５】
【図１】本発明に係る太陽電池モジュールの支持架台の一実施形態を図示する斜視図である。
【図２】上記実施形態に係る正面図である。
【図３】上記実施形態に係る右側面図である。
【図４】上記実施形態に係る下方側からみた斜視図である。
【図５】上記実施形態に係る手前側（前方）の杭部材の上端部分を示しており、その（Ａ）が斜視図、その（Ｂ）が平面図、その（Ｃ）が右側面図、その（Ｄ）が正面図、その（Ｅ）が底面図である。
【図６】上記実施形態に係る奥側（後方）の杭部材の上端部分を示しており、その（Ａ）が斜視図、その（Ｂ）が平面図、その（Ｃ）が右側面図、その（Ｄ）が正面図、その（Ｅ）が底面図である。
【図７】上記実施形態に係る杭頭部材を示し、その（Ａ）が斜視図、その（Ｂ）が平面図、その（Ｃ）が右側面図、その（Ｄ）が正面図である。
【図８】上記実施形態に係る手前側（前方）の支持固定部を示し、その（Ａ）が斜視図、その（Ｂ）が平面図、その（Ｃ）が左側面図、その（Ｄ）が正面図である。
【図９】上記実施形態に係る奥側（後方）の支持固定部を示し、その（Ａ）が斜視図、その（Ｂ）が平面図、その（Ｃ）が左側面図、その（Ｄ）が正面図である。
【発明を実施するための形態】
【００３６】
以下、添付の図面と共に本発明の実施形態について説明する。
図１は、本発明に係る太陽電池モジュールの支持架台（以下単に「支持架台」という。）の一実施形態を図示する斜視図である。
図２は、上記実施形態に係る正面図である。
図３は、同じく上記実施形態に係る右側面図である。
図４は、同じく上記実施形態に係る下方側から見た斜視図である。
【００３７】
本発明に係る支持架台は、上記各図において、縦横４列ずつに太陽電池モジュールＳを載置し支持している状態を図示しているが、前後に一対（２列）配列された横桟１０、１０を、４本の杭部材１５が支持しているが、これらの支持架台は一単位ユニットの２組を合体したものである。
図中杭部材１５は、その上端部分のみを図示している。
【００３８】
即ち、本発明においては、図１の右側の８枚（横２列前後４枚）の太陽電池モジュールＳを支持する２本の杭部材１５、１５と、前後２本の横桟１０、１０と、これらの横桟１０、１０を支持する支持枠体１２、１２、１３、１３と、前方の杭部材１５の上端部と後方の支持枠体１３、１３の上端部を連結する補強枠体１７、１７とから構成される支持架台を一つの単位ユニットとして形成している。
【００３９】
上記の支持枠体１２、１２、１３、１３は、それぞれの杭部材１５の上端部に連結されている支持固定部１４を介して連結され、前方に位置する２本の支持枠体１２、１２、及び後方に位置する２本の支持枠体１３、１３は、それぞれ正面視Ｖ字形状に配設され、その上の横桟１０を下から支持している。
【００４０】
更に、前方の杭部材１５の上端部から後方の２本の支持枠体１３、１３の上端部を連結する２本の補強枠体１７、１７も正面視又は平面視Ｖ字形状に配設されている。
前後に位置する２本（一対）の横桟１０、１０の上には、縦桟１１が４本、前記横桟１０と略直角方向に適宜角度をもって配設される。
【００４１】
縦桟１１が傾斜状に配設されるのは、前記後方に位置する支持枠体１３、１３の長さを前方の支持枠体１２、１２よりも長く設定しているからである。
勿論、前方の支持枠体１２と後方の支持枠体１３の長さを同じくして太陽電池モジュールＳを平面的に支持固定するのも自由である。
【００４２】
杭部材１５の上端部に配設される支持固定部１４の構成は、そこに支持位置調整機能も付加しているために後の図により詳説する。
以上の通り、本発明に係る支持架台は、杭部材１５、支持固定部１４、支持枠体１２、１３、補強枠体１７、横桟１０及び縦桟１１から構成され、これらが一単位の構成ユニットとなる。
【００４３】
これらの構成ユニットは、全て金属製（鋼製）であり、取り分け横桟１０としては軽量鉄材からなる角型鋼管を使用している。
その他に支持枠体１２、１３に関しても、この実施形態では同様に角型鋼管を使用し、縦桟１１及び補強枠体１７に関しては鋼製チャンネル材（Ｃチャン）を使用している。
【００４４】
このように本発明においては、従来の軽量鉄材を利用し、その強度を維持しつつ、横桟１０をＶ字形状に配設された支持枠体１２、１３を利用して、１本の杭部材１５が支持できる横桟１０の横方向範囲を拡大し、つまり支持範囲を拡大することにより、支持架台を最小限の構成部材で構築させることによってその全体重量の低減化を実現したものとなっている。
【００４５】
上記一単位からなる構成ユニットは、これを左右に複数連続させることによって、多数の太陽電池モジュールＳを支持固定することができることとなる。
添付の図１乃至図４においては、その２つのユニットを連続させたものであって、横桟１０、１０も長尺状の１本の角型鋼管を使用している。
【００４６】
更に横方向に長い支持架台を製作する際には、上記長尺状の横桟を複数本連結して支持枠体に固定すればよいこととなる。
それぞれの支持枠体１２、１３と横桟１０との相互固定、補強枠体１７と杭部材１５の上端部との連結固定、補強枠体１７と後方の支持枠体１３の上端部との連結固定はボルトナットにより連結固定することができるが、その他の付属部材、例えば横断面略コ字形状の補強金具を介在させて連結固定するのも自由である。
【００４７】
尚、前後の杭部材１５、１５の上端部同士、より厳密には、杭部材１５の上端部に固定される支持固定部１４同士を連結する前後の枠体を配設しているが、この枠体は補強を目的として設けられたもので前後方向補強枠体１９となる。
【００４８】
図５は、上記実施形態に係る手前側（前方）の杭部材の上端部分を示しており、その（Ａ）が斜視図、その（Ｂ）が平面図、その（Ｃ）が右側面図、その（Ｄ）が正面図、その（Ｅ）が底面図である。
この図５及び次の図６により、前後の杭部材１５の上端部分の概略構造を説明し、その後の図７乃至図９によりその個々の構成部材について説明する。
【００４９】
この図５に示した手前側の杭部材１５の上端部分には、杭頭部材１６と支持固定部１４とが配設固定される。
後者の支持固定部１４は、前記Ｖ字形状に配設されて横桟１０を支持する支持枠体１２、１２の下端部と連結固定され、これらを支持し、且つ、補強枠体１７、１７及び前後方向補強枠体１９の端部が固定されるものである。
【００５０】
上記杭頭部材１６は、後の図７で詳説するが、横断面略コ字形状の部材からなり、その上面部の両端部には、前後方向に長孔からなる螺子挿通孔が設けられている。
この杭頭部材１６の前後両側の垂下部は、杭部材１５の上端部を挟むように配置され、ボルトナットによって前後方向から螺着固定される。
【００５１】
他方、支持固定部１４は、その底面を構成する底面部と、この底面部の前後両側の略中央部から上方に起立する２つの支持面部を有する。
また、この支持面部の内の後方側には、補強枠体１７及び前後方向補強枠体１９と連結できる板状の連結部が更に設けられている。
【００５２】
この支持固定部１４の底面部には、その左右横方向に長孔からなる螺子挿通孔が一列に２個穿設されている。
また、この支持固定部１４には、支持枠体１２等と連結するための螺子挿通孔が複数設けられている。
これらの螺子挿通孔を利用して、前記支持枠体１２、１２等の下端部をボルトナット等によって螺着固定することができるのである。
この実施形態では、これら複数の螺子用孔は、支持枠体１２、１２をＶ字形状に配設固定することができるように、Ｖ字形状に穿設されている。
【００５３】
以上の構成により、杭頭部材１６の螺子挿通孔と、支持固定部１４の螺子挿通孔との位置を合致させて、ボルトナット等の固定手段によって相互に螺着させる際に、その螺着固定位置を左右横方向及び前後縦方向にその位置を調整して固定することができることとなるのである。
これにより現場での施工作業の効率化が図れ、その作業性の向上にも寄与することとなる。
【００５４】
図６は、上記実施形態に係る奥側（後方）の杭部材の上端部分を示しており、その（Ａ）が斜視図、その（Ｂ）が平面図、その（Ｃ）が右側面図、その（Ｄ）が正面図、その（Ｅ）が底面図である。
この図６に示した杭部材の上端部分は、前記図５に示した杭頭部材の上端部分とその支持固定部の形態が少し異なる。
【００５５】
即ち、この支持固定部１４には、補強枠体１７が連結しないために、この補強枠体１７と連結する連結部が設けられていない。
その他の構成は、上記手前側の支持固定部１４の構成と同じであって、前後対称形を有するものである。
【００５６】
即ち、上記杭頭部材１６は、後の図７で詳説するが、横断面略コ字形状の部材からなり、その上面部の両端部には、前後方向に長孔からなる螺子挿通孔が設けられている。
この杭頭部材１６の前後両側の垂下部は、杭部材１５の上端部を挟むように配置され、ボルトナットによって前後方向から螺着固定される。
【００５７】
他方、支持固定部１４は、その底面を構成する底面部と、この底面部の前後両側の略中央部から上方に起立する２つの支持面部を有する。
また、この支持面部の内の手前側には、前後方向補強枠体１９と連結できる板状の連結部が更に設けられている。
【００５８】
この支持固定部１４の底面部には、その左右横方向に長孔からなる螺子挿通孔が一列に２個穿設されている。
また、この支持固定部１４には、支持枠体１３と連結するための螺子挿通孔が複数設けられている。
これらの螺子挿通孔を利用して、前記支持枠体１３、１３の下端部をボルトナット等によって螺着固定することができるのである。
この実施形態では、これら複数の螺子用孔は、支持枠体１３、１３をＶ字形状に配設固定することができるように、Ｖ字形状に穿設されている。
【００５９】
以上の構成により、杭頭部材１６の螺子挿通孔と、支持固定部１４の螺子挿通孔との位置を合致させて、ボルトナット等の固定手段によって相互に螺着させる際に、その螺着固定位置を左右横方向及び前後縦方向にその位置を調整して固定することができることとなるのである。
これにより現場での施工作業の効率化が図れ、その作業性の向上にも寄与することとなる。
【００６０】
図７は、上記実施形態に係る杭頭部材を示し、その（Ａ）が斜視図、その（Ｂ）が平面図、その（Ｃ）が右側面図、その（Ｄ）が正面図である。
この図から杭頭部材１６の構造を良く見て取ることができる。
【００６１】
この杭頭部材１６は、横断面略コ字形状を有し、その開口部を下方に向けて、上面の上面部１６ｊの前後両側の垂下部１６ｓ、１６ｓを図示はしていない杭部材の上端部を挟むように、被せるように配置してボルトナットにより杭部材の上端部に螺着固定できる。
上面部１６ｊの両端部には、下方に延長する下向き延長部１６ｅが設けられている。
【００６２】
そして、上面部１６ｊの両端部の前後方向には、縦方向に長い長孔からなる螺子挿通孔１６ｈが略平行に穿設されている。
この螺子挿通孔１６ｈに上記した支持固定部１４の底面部に設けた横方向に長い２本の長孔からなる螺子挿通孔を合致させて、縦横方向の固定位置調整ができる。
【００６３】
図８は、上記実施形態に係る手前側（前方）の支持固定部を示し、その（Ａ）が斜視図、その（Ｂ）が平面図、その（Ｃ）が左側面図、その（Ｄ）が正面図である。
この支持固定部１４は、既にその概略を図５において述べたが、横長の底面部１４ｊの前後両側側縁の略中央部から上方に起立する２つの支持面部１４ｓ、１４ｓが設けられ、後方（奥側）の支持面部１４ｓには、補強枠体及び前後方向補強枠体の端部を連結固定するための板状の連結部１４ｔ、１４ｔ、１４ｖが設けられている。
【００６４】
更に、上記底面部１４ｊには、その略中央部の長手方向に長い長孔からなる螺子挿通孔１４ｈ、１４ｈが一列に２個設けられている。
これらの螺子挿通孔１４ｈ、１４ｈと、上に述べた杭頭部材の上面部に設けた螺子挿通孔同士を合致させて螺着する際に、前後方向及び左右方向の固定位置を適宜調整できることとなる。
【００６５】
図９は、上記実施形態に係る奥側（後方）の支持固定部を示し、その（Ａ）が斜視図、その（Ｂ）が平面図、その（Ｃ）が左側面図、その（Ｄ）が正面図である。
その構成は、上記手前側（前方）の支持固定部と略同一であるが、唯一補強枠体１７、１７の端部を固定する連結部１４ｔ、１４ｔの存在がなく、また、前後対称形を有するものとなっている。
【００６６】
従って、詳しい説明は省略するが、この支持固定部１４においても、その底面部１４ｊにその長手方向略中央部に長孔から成る２つの螺子挿通孔１４ｈ、１４ｈが一列に穿設されおり、これらの螺子挿通孔１４ｈ、１４ｈが上記杭頭部材１６に設けられた２つの螺子挿通孔１６ｈ、１６ｈと合致し、螺着固定される際に、前後方向及び左右方向の固定位置調整が可能となる。
【００６７】
これにより現場での施工作業の効率化が図れ、その作業性の向上にも寄与することとなる。
以上、本発明の一実施形態について説明したが、本発明においては、以下の通り各種設計変更することができる。
【００６８】
まず、上記実施形態に係る支持架台は、その最小限の構成部材を提示しているが、更に複数の補強枠体を付加することもできる。
例えば、前後の杭部材の基端部分（地際部分）を連結する補強枠体を設置面から所定高さで水平方向に設けてもよいし、左右方向に位置する杭部材同士を連結する補強枠体を同じく設定面から所定高さに水平方向に設けることもできる。
【００６９】
杭部材の下方先端部に掘削刃を設けることもできる。
杭部材の設置面の地際部に防腐食部材を設けることもできる。
例えば、杭部材の設置面の地際部の上下所定範囲に防腐食用及び防錆用の防腐食部材を巻回してもよい。
或いは杭部材の設置面の地際部の上下所定範囲、例えば上下約３０ｃｍ程度の範囲内に防腐食塗料又は防錆塗料を塗布して実施することも可能である。
尚、この防腐食塗料としては、ウレタンエラストマー被覆材等を使用することができる。
【００７０】
前記防腐食部材は、ＰＶＣからなる筒体形状のものからなり、その長手方向の全体に切れ目を形成して着脱自在とすることもできる。
支持架台を設置する際に、この防腐食部材を杭部材の適宜位置に接着材を用いて接着し、支持架台を構築することもできる。
【００７１】
横桟及び支持枠体のサイズ、形態等は自由に設計変更できる。
更には、縦桟として、２分割縦桟を使用することもできる。
当然のこととして、一単位ユニットの支持架台の縦桟上に載置する太陽電池モジュールは、上記実施形態のように横２列縦４枚でなく、横１列でも縦方向の枚数も適宜変更して設計することもできる。
【００７２】
支持枠体も上記横桟と同様に角型鋼管を使用することができ、或いはその他の形態の型鋼、例えば断面コ字形状のものを使用することもできる。
支持枠体として断面コ字形状のものを使用し、横桟として角型管体を使用した場合には、
前者の支持枠体の開口部を上方に向けて、横桟を支持することにより、その支持枠体の両側側面部が横桟を挟持し、嵌合するように組み付けることができ、作業性が向上する。
また、支持枠体の開口部を上に向けることにより雨水の滞留を防止することもできる。
杭部材及び支持枠体の間に掛け渡す補強材や補強アームも自由に配設して固定することができる。
【００７３】
杭部材の外径も適宜必要に応じて設定することができる。
杭部材の上端部を閉鎖する杭頭キャップ部材を設けることもできる。
この杭頭キャップ部材は有底筒状のものでよく、その底部に鍔部を設け、杭部材の上端部開口部内に嵌合させてもよいし、杭部材の上端部開口部を被覆するようにその外側に冠着して設けてもよい。
【００７４】
同様に、角型管体からなる横桟の両端部開口部にも保護キャップ部材を設けることも容易にできる。
この角管の形状に合致する有底角型筒状体を、前記角管の端部開口部に嵌入させ、或いは被覆するように嵌合させることによって実施可能となる。
これにより、鳥、蜂、蜘蛛等小動物の侵入防止や巣作り防止対策等に寄与し、雨水の侵入防止ともなり、支持架台の長寿命化を図ることができる。
【００７５】
杭頭部材の形態も自由に設計変更することができ、要するに、杭部材の上端部に連結できて、その上面に平板状の上面部が形成されればよいものである。
他方、支持固定部も底面部と当該底面部から略鉛直に起立する支持面部が設けられていればよい。
【００７６】
上記杭頭部材の上面に設けた螺子挿通孔と支持固定部の底面部に設けた螺子挿通孔とが合致したときに、両螺子挿通孔が十文字状に配置されていればよく、これにより杭部材の支持固定位置を縦・横方向に調整することができることとなる。
また、杭頭部材と杭部材との連結固定方法も自由に設計変更することができる。
【００７７】
横桟として角型管体を使用し、軽量化のために、肉厚の薄いものを使用する場合には、この横桟と支持枠体又は補強枠体の端部との連結固定に際しては、例えば、横断面略コ字形状等の補強金具を介在させてボルトナットにより螺着固定することもできる。
この補強金具は、横断面略コ字形状のほか、角管からなる横桟にその端部から嵌合できる横断面角型のものであってもよい。
【００７８】
また、横桟としては、上記実施形態のような角型管体でなく、横断面円形又は楕円形の管体を使用することも可能であり、その際の補強金具としては、横断面略Ｕ字形状のものを使用することができる。
また、補強枠体１７も上記実施形態のような角型管体でなく、横断面円形又は楕円形の管体を使用することも可能である。
【００７９】
杭部材の上端部開口部及び横桟の両端部開口部を塞ぐ保護キャップ部材も、前記開口部を封止できるものであればよく、金属製ばかりでなく、合成樹脂製のものであってもよいし、その形態も適宜必要に応じて設計変更することができる。
上記実施形態において、前後の杭部材の上端部同士を連結する補強枠体１９は、任意の構成部材であり、これ無しに実施することは当然可能である。
【００８０】
以上、本発明においては、前後一対の横桟を支持する前後一対の杭部材とこの杭部材から上方に向ってＶ字形状に配設される支持枠体が下方から支持することによって、上記横桟の左右横方向の支持範囲を拡大することができ、これによって支持架台の構成部材の削減を実現でき、その全体の軽量化に大いに寄与した太陽電池モジュールの支持架台を提供することができたものである。
【符号の説明】
【００８１】
１０  横桟
１１  縦桟
１２、１３  支持枠体
１４  支持固定部
１４ｈ  螺子挿通孔
１４ｊ  底面部
１４ｓ  支持面部
１４ｒ  螺子用孔
１４ｔ、１４ｖ  連結部
１５  杭部材
１６  杭頭部材
１６ｅ  下向き延長部
１６ｊ  上面部
１６ｈ  螺子挿通孔
１６ｓ  垂下部
１７  補強枠体
１９  前後方向補強枠体
Ｓ  太陽電池モジュール
【図１】
2019149885.tif 000003
【図２】
2019149885.tif 000004
【図３】
2019149885.tif 000005
【図４】
2019149885.tif 000006
【図５】
2019149885.tif 000007
【図６】
2019149885.tif 000008
【図７】
2019149885.tif 000009
【図８】
2019149885.tif 000010
【図９】
2019149885.tif 000011